【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
電力量計を搬送する搬送装置と、
搬送装置に沿って設けられた、絶縁・耐電圧試験、定格設定、機能試験、器差調整および／または器差試験を行うための１台以上の試験装置と、電源装置と、制御装置と、を備え、
制御装置が、試験装置により複数種類のボックス型電力量計を自動試験し、搬送装置により良品と不良品を自動分別することを特徴とする電力量計自動検査装置。
【請求項２】
前記試験装置と複数種類のボックス型電力量計との自動結線を行う自動結線器ユニットを備えることを特徴とする請求項１の電力量計自動検査装置。
【請求項３】
前記自動結線器ユニットが、複数の結線器を備え、当該複数の結線器が、それぞれ、複数の電流接続端子と、複数の電圧接続端子とを備えることを特徴とする請求項２の電力量計自動検査装置。
【請求項４】
前記結線器の電流接続端子が、上下に延びる導通棒に連結され、角が面取り加工された直方体状の部材からなることを特徴とする請求項３の電力量計自動検査装置。
【請求項５】
前記複数の結線器が、複数の電流接続端子を水平方向に所定角度回転自在とする回転機構を備えて構成されることを特徴とする請求項３または４の電力量計自動検査装置。
【請求項６】
前記複数の結線器が、複数の電流接続端子に鉛直姿勢および傾斜姿勢を取ることを可能とさせる傾斜機構を備え、
当該傾斜機構が、複数の電流接続端子を水平方向に連結するシャフトと、複数の電流接続端子とそれぞれと連結された複数の弾性部材と、複数の電流接続端子とそれぞれの傾斜角度を調節する調節用ストッパとを備えて構成されることを特徴とする請求項３、４または５の電力量計自動検査装置。
【請求項７】
前記自動結線器ユニットが、結線器と電源装置との接続をバイパスさせる電流回路短絡機構を備える複数台の自動結線器ユニットからなり、
前記制御装置が、１台以上の結線器ユニットが電力量計と結線され、かつ、１台以上の結線器ユニットが電力量計と結線されていない場合において、電力量計と結線されていない結線器ユニットと電源装置との接続を電流回路短絡機構によりバイパスさせることを特徴とする請求項２、３、４、５または６の電力量計自動検査装置。
【請求項８】
さらに、複数種類のボックス型電力量計を装着可能な搬送パレットを備え、
前記制御装置が、前記搬送装置により前記自動結線器ユニットと搬送パレットとを自動連結させることを特徴とする請求項２ないし７のいずれかの電力量計自動検査装置。
【請求項９】
前記搬送パレットが、電力量計の規格に対応したアタッチメントを着脱自在に装着できることを特徴とする請求項８の電力量計自動検査装置。
【請求項１０】
前記試験装置は、絶縁・耐電圧試験を行うための試験装置を含み、
当該試験装置が、対峙する複数個の金属部材により構成される嵌入部を有する電圧プローブと、電流プローブとを備える結線器を備えることを特徴とする請求項１ないし９のいずれかの電力量計自動検査装置。
【請求項１１】
前記試験装置は、器差調整または器差試験を行うための複数台の試験装置からなるレーンを含み、
前記制御装置が、
搬送装置が、受け取った電力量計を順次空のレーンに搬入する搬入工程、
電力量計がレーンに搬入されたことを検知し、当該電力量計と試験装置と自動結線する工程、
複数ある試験条件に基づき、電源装置から電力量計に交流電力を供給し、試験を行う試験工程、
複数ある試験条件の全てを終了した電力量計をレーン外へ搬出する搬出工程、を実施し、
前記試験工程において、全てのレーンにおいて同一の基準時に基づくサイクルで交流電力を供給すること、かつ、電力量計が存在する全てのレーンにおいて同一のサイクルでは同一の試験条件を実施することを特徴とする請求項１ないし１０のいずれかの電力量計自動検査装置。
【請求項１２】
請求項１ないし１０のいずれかの電力量計自動検査装置を用いた電力量計自動検査方法であって、
前記試験装置は、器差調整または器差試験を行うための複数台の試験装置からなるレーンを含み、
搬送装置が、受け取った電力量計を順次空のレーンに搬入する搬入工程、
電力量計がレーンに搬入されたことを検知し、当該電力量計と試験装置と自動結線する工程、
複数ある試験条件に基づき、電源装置から電力量計に交流電力を供給し、試験を行う試験工程、
複数ある試験条件の全てを終了した電力量計をレーン外へ搬出する搬出工程、を有し、
前記試験工程が、全てのレーンにおいて同一の基準時に基づくサイクルで交流電力を供給されること、かつ、電力量計が存在する全てのレーンにおいて同一のサイクルでは同一の試験条件が実施されることを特徴とする電力量計自動検査方法。
【請求項１３】
１台以上の試験装置と、電源装置と、制御装置と、を備え、試験装置により複数種類のボックス型電力量計を自動試験する電力量計自動検査装置に搭載される自動結線器であって、
電流接続端子（２）が上部に連結され、下部に電流線接続部が設けられた導通棒と、複数の導通棒が連結された可動部材と、可動部材を往復動作させる電流結線用シリンダと、複数の導通棒を水平方向に所定角度回転自在とする回転機構と、複数の導通棒に鉛直姿勢および傾斜姿勢を取ることを可能とさせる傾斜機構とを備える電流端子結線部と、
複数の電圧接続端子（３）が設けられた固定部材と、上昇位置および下降位置を移動する電圧結線用シリンダと、固定部材および駆動シリンダを連結する可動部材とを備える電圧端子結線部と、
を備えて構成されることを特徴とする自動結線器。
【請求項１４】
１台以上の試験装置と、電源装置と、制御装置と、を備え、試験装置により複数種類のボックス型電力量計を自動試験する電力量計自動検査装置に搭載される自動結線器ユニットであって、
端子配置の異なる複数種類の電力量計に対応する複数台の自動結線器を備え、
前記複数台の自動結線器の一部または全部が、
電流接続端子（２）が上部に連結され、下部に電流線接続部が設けられた導通棒と、複数の導通棒が連結された可動部材と、可動部材を往復動作させる電流結線用シリンダと、複数の導通棒を水平方向に所定角度回転自在とする回転機構と、複数の導通棒に鉛直姿勢および傾斜姿勢を取ることを可能とさせる傾斜機構とを備える電流端子結線部と、
複数の電圧接続端子（３）が設けられた固定部材と、上昇位置および下降位置を移動する電圧結線用シリンダと、固定部材および駆動シリンダを連結する可動部材とを備える電圧端子結線部と、
を備えて構成されることを特徴とする自動結線器ユニット。
【手続補正２】
【補正対象書類名】明細書
【補正対象項目名】００１５
【補正方法】変更
【補正の内容】
【００１５】
第１の発明は、電力量計を搬送する搬送装置と、搬送装置に沿って設けられた、絶縁・耐電圧試験、定格設定、機能試験、器差調整および／または器差試験を行うための１台以上の試験装置と、電源装置と、制御装置と、を備え、制御装置が、試験装置により複数種類のボックス型電力量計を自動試験し、搬送装置により良品と不良品を自動分別することを特徴とする電力量計自動検査装置である。
第２の発明は、第１の発明において、前記試験装置と複数種類のボックス型電力量計との自動結線を行う自動結線器ユニットを備えることを特徴とする。
第３の発明は、第２の発明において、前記自動結線器ユニットが、複数の結線器を備え、当該複数の結線器が、それぞれ、複数の電流接続端子と、複数の電圧接続端子とを備えることを特徴とする。
第４の発明は、第３の発明において、前記結線器の電流接続端子が、上下に延びる導通棒に連結され、角が面取り加工された直方体状の部材からなることを特徴とする。
【手続補正３】
【補正対象書類名】明細書
【補正対象項目名】００１８
【補正方法】変更
【補正の内容】
【００１８】
第１２の発明は、第１ないし１０のいずれかの発明に係る電力量計自動検査装置を用いた電力量計自動検査方法であって、前記試験装置は、器差調整または器差試験を行うための複数台の試験装置からなるレーンを含み、搬送装置が、受け取った電力量計を順次空のレーンに搬入する搬入工程、電力量計がレーンに搬入されたことを検知し、当該電力量計と試験装置と自動結線する工程、複数ある試験条件に基づき、電源装置から電力量計に交流電力を供給し、試験を行う試験工程、複数ある試験条件の全てを終了した電力量計をレーン外へ搬出する搬出工程、を有し、前記試験工程が、全てのレーンにおいて同一の基準時に基づくサイクルで交流電力を供給されること、かつ、電力量計が存在する全てのレーンにおいて同一のサイクルでは同一の試験条件が実施されることを特徴とする電力量計自動検査方法である。
第１３の発明は、１台以上の試験装置と、電源装置と、制御装置と、を備え、試験装置により複数種類のボックス型電力量計を自動試験する電力量計自動検査装置に搭載される自動結線器であって、電流接続端子（２）が上部に連結され、下部に電流線接続部が設けられた導通棒と、複数の導通棒が連結された可動部材と、可動部材を往復動作させる電流結線用シリンダと、複数の導通棒を水平方向に所定角度回転自在とする回転機構と、複数の導通棒に鉛直姿勢および傾斜姿勢を取ることを可能とさせる傾斜機構とを備える電流端子結線部と、複数の電圧接続端子（３）が設けられた固定部材と、上昇位置および下降位置を移動する電圧結線用シリンダと、固定部材および駆動シリンダを連結する可動部材とを備える電圧端子結線部と、を備えて構成されることを特徴とする自動結線器である。
第１４の発明は、１台以上の試験装置と、電源装置と、制御装置と、を備え、試験装置により複数種類のボックス型電力量計を自動試験する電力量計自動検査装置に搭載される自動結線器ユニットであって、端子配置の異なる複数種類の電力量計に対応する複数台の自動結線器を備え、前記複数台の自動結線器の一部または全部が、電流接続端子（２）が上部に連結され、下部に電流線接続部が設けられた導通棒と、複数の導通棒が連結された可動部材と、可動部材を往復動作させる電流結線用シリンダと、複数の導通棒を水平方向に所定角度回転自在とする回転機構と、複数の導通棒に鉛直姿勢および傾斜姿勢を取ることを可能とさせる傾斜機構とを備える電流端子結線部と、複数の電圧接続端子（３）が設けられた固定部材と、上昇位置および下降位置を移動する電圧結線用シリンダと、固定部材および駆動シリンダを連結する可動部材とを備える電圧端子結線部と、を備えて構成されることを特徴とする自動結線器ユニットである。